(57)【特許請求の範囲】
【請求項１】
情報送受信装置と交換機とを接続する複数の情報伝送路それぞれの、前記情報送受信装置に対する着信専用または発信専用の設定制御を行なう伝送路設定制御システムであって、
前記情報送受信装置が、
異なる宛先に送信する送信情報を複数の論理格納領域それぞれに記憶する送信情報記憶手段と、
前記論理格納領域の識別情報と、送信情報の宛先情報と、を対応付けて記憶する宛先情報記憶手段と、
所定の処理開始時刻において、前記送信情報記憶手段内の前記論理格納領域の何れかに前記送信情報が記憶されている場合に、前記送信情報が記憶されている前記論理格納領域の数の情報伝送路について自装置からの発信専用と設定する発信専用設定要求を、前記交換機へ送信する発信専用制御手段と、
前記送信情報を記憶する前記論理格納領域の識別情報に基づいて、当該論理格納領域に記憶する送信情報それぞれの宛先情報を前記宛先情報記憶手段から読み取り、その宛先情報で示される宛先へ前記論理格納領域に記憶する送信情報を、前記発信専用と設定した情報伝送路それぞれを用いて送信する送信手段と、
前記送信情報の送信完了に基づいて、前記発信専用と設定した情報伝送路の数を格納し、当該情報伝送路について着信専用と設定する着信専用設定要求を、前記交換機へ送信する着信専用制御手段と、を備え、
前記交換機は、
前記発信専用設定要求を受信した場合には、当該発信専用設定要求の情報に格納される情報伝送路の数を検出して、当該数の情報伝送路を前記情報送受信装置からの情報の発信専用と設定する発信専用設定手段と、
前記着信専用設定要求を受信した場合には、当該着信専用設定要求の情報に格納される情報伝送路の数を検出して、当該数の情報伝送路を前記情報送受信装置に対する情報の着信専用と設定する着信専用設定手段と、を備える
ことを特徴とする伝送路設定制御システム。
【請求項２】
前記情報送受信装置の前記着信専用制御手段は、次の前記所定の処理開始時刻までの時間間隔が所定の時間以上である場合にのみ、前記発信専用と設定した情報伝送路について着信専用と設定する着信専用設定要求を、前記交換機へ送信する
ことを特徴とする請求項１に記載の伝送路設定制御システム。
【請求項３】
前記情報送受信装置の前記発信専用制御手段は、
前記送信情報が格納される前記論理格納領域の数が、前記情報送受信装置と前記交換機とを接続する複数の前記情報伝送路の最大値未満の場合には、前記送信情報が格納される前記論理格納領域の数の情報伝送路について自装置からの発信専用と設定する発信専用設定要求を、前記交換機へ送信し、
前記送信情報が格納される前記論理格納領域の数が、前記情報送受信装置と前記交換機とを接続する複数の前記情報伝送路の最大値以上の場合には、前記情報伝送路の最大値の数の情報伝送路について自装置からの発信専用と設定する発信専用設定要求を、前記交換機へ送信する
ことを特徴とする請求項１または請求項２に記載の伝送路設定制御システム。
【請求項４】
情報送受信装置と交換機とを接続する複数の情報伝送路それぞれの、前記情報送受信装置に対する着信専用または発信専用の設定制御を行なう伝送路設定制御システムにおける伝送路設定制御方法であって、
前記情報送受信装置が、
前記情報送受信装置の送信情報記憶手段は、異なる宛先に送信する送信情報を複数の論理格納領域それぞれに記憶し、
前記情報送受信装置の宛先情報記憶手段は、前記論理格納領域の識別情報と、送信情報の宛先情報と、を対応付けて記憶し、
前記情報送受信装置の発信専用制御手段は、所定の処理開始時刻において、前記送信情報記憶手段内の前記論理格納領域の何れかに前記送信情報が記憶されている場合に、前記送信情報が記憶されている前記論理格納領域の数の情報伝送路について自装置からの発信専用と設定する発信専用設定要求を、前記交換機へ送信し、
前記情報送受信装置の送信手段は、前記送信情報を記憶する前記論理格納領域の識別情報に基づいて、当該論理格納領域に記憶する送信情報それぞれの宛先情報を前記宛先情報記憶手段から読み取り、その宛先情報で示される宛先へ前記論理格納領域に記憶する送信情報を、前記発信専用と設定した情報伝送路それぞれを用いて送信し、
前記情報送受信装置の着信専用制御手段は、前記送信情報の送信完了に基づいて、前記発信専用と設定した情報伝送路の数を格納し、当該情報伝送路について着信専用と設定する着信専用設定要求を、前記交換機へ送信し、
前記交換機の発信専用設定手段は、前記発信専用設定要求を受信した場合には、当該発信専用設定要求の情報に格納される情報伝送路の数を検出して、当該数の情報伝送路を前記情報送受信装置からの情報の発信専用と設定し、
前記交換機の着信専用設定手段は、前記着信専用設定要求を受信した場合には、当該着信専用設定要求の情報に格納される情報伝送路の数を検出して、当該数の情報伝送路を前記情報送受信装置に対する情報の着信専用と設定する
ことを特徴とする伝送路設定制御方法。
【請求項５】
前記情報送受信装置の前記着信専用制御手段は、次の前記所定の処理開始時刻までの時間間隔が所定の時間以上である場合にのみ、前記発信専用と設定した情報伝送路について着信専用と設定する着信専用設定要求を、前記交換機へ送信する
ことを特徴とする請求項４に記載の伝送路設定制御方法。
【請求項６】
前記情報送受信装置の前記発信専用制御手段は、
前記送信情報が格納される前記論理格納領域の数が、前記情報送受信装置と前記交換機とを接続する複数の前記情報伝送路の最大値未満の場合には、前記送信情報が格納される前記論理格納領域の数の情報伝送路について自装置からの発信専用と設定する発信専用設定要求を、前記交換機へ送信し、
前記送信情報が格納される前記論理格納領域の数が、前記情報送受信装置と前記交換機とを接続する複数の前記情報伝送路の最大値以上の場合には、前記情報伝送路の最大値の数の情報伝送路について自装置からの発信専用と設定する発信専用設定要求を、前記交換機へ送信する
ことを特徴とする請求項４または請求項５に記載の伝送路設定制御方法。
【発明の詳細な説明】
【技術分野】
【０００１】
本発明は、情報送受信装置と交換機とを接続する複数の情報伝送路それぞれの、前記情報送受信装置に対する受信専用または送信専用の設定制御を行なう伝送路設定制御システムおよび伝送路設定制御方法に関する。
【背景技術】
【０００２】
ＩＳＤＮの回線を用いて端末が情報を送受信するシステムにおいては、当該ＩＳＤＮ回線は複数の情報伝送用チャネル（Ｂチャネル）と制御信号送信用チャネル（Ｄチャネル）から構成されており、端末は情報伝送用チャネルの数と同数の他の端末と、同時に情報の送受信ができる。なお、Ｂチャネルが２本とＤチャネルが１本とにより構成されているＩＳＤＮ回線はＢＲＩ（basic rate interface）、Ｂチャネル２３本とＤチャネル１本により構成されているＩＳＤＮ回線はＰＲＩ（primary rate interface）と呼ばれている。またＢチャネルは６４ｋｂｉｔ／ｓ、Ｄチャネルは１６ｋｂｉｔ／ｓの情報転送速度で情報を送受信できるチャネルである。
【０００３】
ここで、このようなＩＳＤＮを用いたコンピュータシステムにおいて端末と交換機との間にＩＳＤＮ用ルータが設置されている場合には、当該ルータに、各情報伝送用チャネルについての着信専用または発信専用の設定が行なわれる場合がある。これにより、当該システムにおける端末からの情報発信の為の情報伝送用チャネルの確保と、端末における他端末からの情報着信の為の情報伝送用チャネルの確保を行うことができる。また、ルータが設置されていなくとも、交換機側において各情報伝送用チャネルの発信専用設定、着信専用設定を行うこともできる。なお、ＩＳＤＮ用ルータ（またはＩＳＤＮターミナルアダプタ）において、各情報伝送用チャネルの発信専用設定、着信専用設定を行なう技術について特許文献１に公開されている。
【特許文献１】特開平１０−４４５２号公報
【発明の開示】
【発明が解決しようとする課題】
【０００４】
ところで、上述のようなＩＳＤＮ回線を用いて情報を送受信するシステムにおいては、各情報伝送用チャネルを効率的に利用していないという問題があった。つまり、各情報伝送用チャネルについて発信専用または着信専用と設定していることで、例えば、着信専用と設定している情報伝送用チャネルの数以上に、着信があった場合には、その着信が拒否されてしまうこととなる。また発信専用と設定している情報伝送用チャネル数以上の送信先に対して同時に情報の発信を行ないたい場合にも、それが不可能となってしまう。
そこで、ルータや交換機において、各情報伝送用チャネルの着信専用設定や発信専用設定を行なわずにシステムを運用することも可能であるが、例えば端末が定期的に情報を送信しなければならないような場合には、必ず発信専用の情報伝送用チャネルを確保しなければならないので、情報の着信と発信のタイミングを考慮した各情報伝送用チャネルの受信専用または送信専用の設定制御が必要となる。
【０００５】
そこでこの発明は、着信と発信のタイミングを考慮することにより、各情報伝送用チャネルを効率的に利用することができる、伝送路設定制御システムおよび伝送路設定制御方法を提供することを目的としている。
【課題を解決するための手段】
【０００６】
上記目的を達成するために、本発明は、情報送受信装置と交換機とを接続する複数の情報伝送路それぞれの、前記情報送受信装置に対する着信専用または発信専用の設定制御を行なう伝送路設定制御システムであって、前記情報送受信装置が、異なる宛先に送信する送信情報を複数の論理格納領域それぞれに記憶する送信情報記憶手段と、前記論理格納領域の識別情報と、送信情報の宛先情報と、を対応付けて記憶する宛先情報記憶手段と、所定の処理開始時刻において、前記送信情報記憶手段内の前記論理格納領域の何れかに前記送信情報が記憶されている場合に、前記送信情報が記憶されている前記論理格納領域の数の情報伝送路について自装置からの発信専用と設定する発信専用設定要求を、前記交換機へ送信する発信専用制御手段と、前記送信情報を記憶する前記論理格納領域の識別情報に基づいて、当該論理格納領域に記憶する送信情報それぞれの宛先情報を前記宛先情報記憶手段から読み取り、その宛先情報で示される宛先へ前記論理格納領域に記憶する送信情報を、前記発信専用と設定した情報伝送路それぞれを用いて送信する送信手段と、前記送信情報の送信完了に基づいて、前記発信専用と設定した情報伝送路の数を格納し、当該情報伝送路について着信専用と設定する着信専用設定要求を、前記交換機へ送信する着信専用制御手段と、を備え、前記交換機は、前記発信専用設定要求を受信した場合には、当該発信専用設定要求の情報に格納される情報伝送路の数を検出して、当該数の情報伝送路を前記情報送受信装置からの情報の発信専用と設定する発信専用設定手段と、前記着信専用設定要求を受信した場合には、当該着信専用設定要求の情報に格納される情報伝送路の数を検出して、当該数の情報伝送路を前記情報送受信装置に対する情報の着信専用と設定する着信専用設定手段と、を備えることを特徴とする伝送路設定制御システムである。
【０００７】
また本発明、上述の伝送路設定制御システムにおいて、前記情報送受信装置の前記着信専用制御手段は、次の前記所定の処理開始時刻までの時間間隔が所定の時間以上である場合にのみ、前記発信専用と設定した情報伝送路について着信専用と設定する着信専用設定要求を、前記交換機へ送信することを特徴とする。
【０００８】
また本発明、上述の伝送路設定制御システムにおいて、前記情報送受信装置の前記発信専用制御手段は、前記送信情報が格納される前記論理格納領域の数が、前記情報送受信装置と前記交換機とを接続する複数の前記情報伝送路の最大値未満の場合には、前記送信情報が格納される前記論理格納領域の数の情報伝送路について自装置からの発信専用と設定する発信専用設定要求を、前記交換機へ送信し、前記送信情報が格納される前記論理格納領域の数が、前記情報送受信装置と前記交換機とを接続する複数の前記情報伝送路の最大値以上の場合には、前記情報伝送路の最大値の数の情報伝送路について自装置からの発信専用と設定する発信専用設定要求を、前記交換機へ送信することを特徴とする。
【０００９】
また本発明は、情報送受信装置と交換機とを接続する複数の情報伝送路それぞれの、前記情報送受信装置に対する着信専用または発信専用の設定制御を行なう伝送路設定制御システムにおける伝送路設定制御方法であって、前記情報送受信装置が、前記情報送受信装置の送信情報記憶手段は、宛先を特定する論理格納領域ごとに送信情報を記憶し、前記情報送受信装置の宛先情報記憶手段は、前記論理格納領域の識別情報と、送信情報の宛先情報と、を対応付けて記憶し、前記情報送受信装置の発信専用制御手段は、所定の処理開始時刻において、前記送信情報記憶手段内の前記論理格納領域の何れかに前記送信情報が記憶されている場合に、前記送信情報が記憶されている前記論理格納領域の数の情報伝送路について自装置からの発信専用と設定する発信専用設定要求を、前記交換機へ送信し、前記情報送受信装置の送信手段は、前記送信情報を記憶する前記論理格納領域の識別情報に基づいて、当該論理格納領域に記憶する送信情報それぞれの宛先情報を前記宛先情報記憶手段から読み取り、その宛先情報で示される宛先へ前記論理格納領域に記憶する送信情報を、前記発信専用と設定した情報伝送路それぞれを用いて送信し、前記情報送受信装置の着信専用制御手段は、前記送信情報の送信完了に基づいて、前記発信専用と設定した情報伝送路の数を格納し、当該情報伝送路について着信専用と設定する着信専用設定要求を、前記交換機へ送信し、前記交換機の発信専用設定手段は、前記発信専用設定要求を受信した場合には、当該発信専用設定要求の情報に格納される情報伝送路の数を検出して、当該数の情報伝送路を前記情報送受信装置からの情報の発信専用と設定し、前記交換機の着信専用設定手段は、前記着信専用設定要求を受信した場合には、当該着信専用設定要求の情報に格納される情報伝送路の数を検出して、当該数の情報伝送路を前記情報送受信装置に対する情報の着信専用と設定することを特徴とする伝送路設定制御方法である。
【００１０】
また本発明、上述の伝送路設定制御方法において、前記情報送受信装置の前記着信専用制御手段は、次の前記所定の処理開始時刻までの時間間隔が所定の時間以上である場合にのみ、前記発信専用と設定した情報伝送路について着信専用と設定する着信専用設定要求を、前記交換機へ送信することを特徴とする。
【００１１】
また本発明、上述の伝送路設定制御方法において、前記情報送受信装置の前記発信専用制御手段は、前記送信情報が格納される前記論理格納領域の数が、前記情報送受信装置と前記交換機とを接続する複数の前記情報伝送路の最大値未満の場合には、前記送信情報が格納される前記論理格納領域の数の情報伝送路について自装置からの発信専用と設定する発信専用設定要求を、前記交換機へ送信し、前記送信情報が格納される前記論理格納領域の数が、前記情報送受信装置と前記交換機とを接続する複数の前記情報伝送路の最大値以上の場合には、前記情報伝送路の最大値の数の情報伝送路について自装置からの発信専用と設定する発信専用設定要求を、前記交換機へ送信することを特徴とする。
【発明の効果】
【００１２】
本発明によれば、送信情報を送信情報記憶手段に記憶している場合に、その送信情報の数の情報伝送路を、情報送受信装置からの発信専用と設定し、それ以外の場合には、情報送受信装置への着信専用と設定する。つまり送信情報を記憶していない場合には送信情報を送信するタイミングで無いと判定し、情報伝送路を発信専用と変更せず、また送信情報を送信するタイミングである場合には、情報送受信装置からの要求により、発信専用と設定する。これにより、送信情報を送信していない間は、発信専用と設定される情報伝送路がなくなるので、より多くの情報送受信装置への着信を拒否することなく処理することができ、着信の効率を上げることができる。また送信情報を送信する際にはその送信情報の数だけ情報伝送路を発信専用とするので、より多くの情報送受信装置への着信を拒否することなく処理することができ、着信の効率を上げることができる。
【発明を実施するための最良の形態】
【００１３】
以下、本発明の一実施形態による伝送路設定制御システムを図面を参照して説明する。図１は同実施形態による伝送路設定制御システムの構成を示すブロック図である。この図において、符号１はファイル送信装置、２は交換機である。ファイル送信装置１は例えばＰＣ（Personal Computer）やサーバで構成される。そしてファイル送信装置１と交換機２とはＩＳＤＮ回線で接続されている。
【００１４】
またファイル送信装置１は、ＩＳＤＮ回線を介して交換機２と情報の送受信の制御を行なう通信処理部１１と、ファイル送信装置１の各処理部を制御する制御部１２と、ＩＳＤＮ回線のＢチャネルそれぞれについて発信専用または着信専用の設定の要求を行なう発着信制御部１３と、ＩＳＤＮ回線を用いた送信情報（以下、ファイルと呼ぶ）の他の装置への送信を判断するファイル送信制御部１４と、ファイル送信制御部１４が送信すると判定したファイルを送信処理するファイル送信実行部１５と、ファイル送信を行う為に利用する各種テーブルを記憶する管理テーブル記憶部１６と、送信するファイルを所定のディレクトリ（記憶部内の論理格納領域）に格納したファイル記憶部１７と、を備えている。
【００１５】
また交換機２は、ＩＳＤＮ回線を介して他の装置との情報の送受信を行なう通信処理部２１と、交換機２内の各処理部を制御する制御部２１と、ＩＳＤＮ回線のＢチャネルそれぞれについて発信専用設定、着信専用設定を行なう発着信設定部２３と、ファイル送信装置１に対する着信可否の判定や、ファイル送信装置１からの情報の発信可否の判定を行なう発着信処理部２４と、各種情報を記憶する記憶部２５と、を備えている。
【００１６】
図２は宛先アドレステーブルを示す図である。
ファイル送信装置１の管理テーブル記憶部１６は、宛先アドレステーブルを記憶している。このテーブルはファイルが記憶されているディレクトリから、当該ファイルの宛先を検出するためのテーブルであり、ディレクトリの識別情報（例えばディレクトリ名）と宛先ＩＰアドレスとを対応付けて記憶している。
図３は発着信設定記憶テーブルを示す図である。
この発着信設定記憶テーブルは交換機２の記憶部２５が記憶している。そして、発着信設定部２３によって、Ｂチャネルごとの発信専用または着信専用の設定が行なわれて、このテーブルに記録される。
【００１７】
図４は本実施形態によるファイル送信装置１の処理フローである。
次に、図４を用いて本実施形態によるファイル送信装置１の処理フローについて説明する。
まず、ファイル送信装置１のファイル送信制御部１４が管理テーブル記憶部１６に記憶されている処理開始時刻を読み取り現在の時刻が処理開始時刻か否かを判定する（ステップＳ１０１）。そして処理開始時刻である場合には処理を開始する（ステップＳ１０２）。例えば、処理開始時刻が００分を示している場合には、ファイル送信装置１のファイル送信制御部１４は、毎時００分に処理を開始する。なお処理の開始は、ユーザからの処理開始指示の入力を受付けたことを契機にしてもよい。処理を開始すると、ファイル送信制御部１４は、ファイル記憶部１７がファイル（送信情報）を記憶しているか否かを判定する（ステップＳ１０３）。このファイルはファイル記憶部１７の論理格納領域であるディレクトリごとに記憶されている。そしてファイル送信制御部１４は、ファイルが記憶されているディレクトリ数を検出する（ステップＳ１０４）。またファイル送信制御部１４は、ファイルを記憶するディレクトリ数を発着信制御部１３に通知し、その数のＢチャネルを発信専用に設定変更するよう通知する（ステップＳ１０５）。
【００１８】
次に発着信制御部１３は、ファイルが記憶されているディレクトリ数や、予め設定されている発信専用への変更可能なＢチャネルの上限数などに基づいて、発信専用へと変更するＢチャネルの数を決定し（ステップＳ１０６）、当該発信専用へと変更するＢチャネルの数を格納した、発信専用設定要求の情報を交換機２へ送信する（ステップＳ１０７）。ここで、発信専用へと変更するＢチャネルの数の決定方法は、まず、着信専用から発信専用へ変更できるＢチャネルの数（ａ）と、ファイル送信制御部１４から通知を受けた発信専用と設定変更するＢチャネルの数（ｂ）とを用いてａ−ｂを算出する。そしてこの算出結果が、０以下である場合にはａの数（つまり発信専用へと変更できる最大の数）を、着信専用から発信専用へ変更するＢチャネルの数と決定し、１以上である場合にはｂの数を、着信専用から発信専用へ変更するＢチャネルの数と決定する。なお、着信専用から発信専用へ変更できるＢチャネルの数（ａ）は管理テーブル記憶部１６などに記憶されている。
【００１９】
次に、交換機２の発着信設定部２３は発着専用設定要求を受信すると、当該発着専用設定要求から、発信専用へと変更するＢチャネルの数を読み取り、当該数のＢチャネルを着信専用から発信専用へと設定変更する（ステップＳ１０８）。この設定変更は、例えば、記憶部２５の記憶する発着信設定記憶テーブルにおいて、Ｂチャネル識別番号に対応付けられている発信／着信設定を、着信専用から発信専用へ書き換えることをいう。そして、発着信設定部２３は、変更終了を示す情報をファイル送信装置１へ送信する（ステップＳ１０９）。
【００２０】
ファイル送信装置１のファイル送信制御部１４は、変更終了の情報を受信すると、次に、ファイルが記憶されているディレクトリ名を検出する（ステップＳ１１０）。そして当該ディレクトリ名に対応して宛先アドレステーブルに記録されている宛先ＩＰアドレスを読み取る（ステップＳ１１１）。次に、ファイル送信制御部１４は、ディレクトリに記憶されているファイルを格納したメッセージであって、前記読み取ったＩＰアドレス宛のメッセージを生成し、当該メッセージを送信するようファイル送信実行部１５へ通知する（ステップＳ１１２）。するとファイル送信実行部１５は生成されたメッセージを当該メッセージに格納されたＩＰアドレス宛に送信する処理を行なう（ステップＳ１１３）。
【００２１】
次に１つのメッセージの送信の後、ファイル送信制御部１４は、ファイルを記憶する他のディレクトリであってファイルが未送信のディレクトリがあるか否かを判定し（ステップＳ１１４）、ある場合には、ファイル送信制御部１４と、ファイル送信実行部１５が上記ステップＳ１１９〜ステップＳ１１３の処理を繰り返す。これによりファイルが宛先ＩＰアドレスへと順次送信される。なお、それぞれのファイルは異なるＢチャネルを用いて宛先ＩＰアドレスへ同時送信される。またファイル送信実行部１５は各メッセージの送信終了を検出すると、ファイル送信制御部１４へ各メッセージそれぞれについてのメッセージ送信終了を順次通知する（ステップＳ１１５）。このメッセージ送信終了の情報には、ファイル送信に利用したＢチャネルの識別番号などが格納されている。
【００２２】
次に、ファイル送信制御部１４は、ファイル送信終了を受付けた時刻と、次にファイル送信を行なう時刻（上記の処理開始時刻）とを比較して、次の処理開始時刻までの時間間隔が所定の時間以上（例えば５分）あるか否かを判定する（ステップＳ１１６）。そしてファイル送信制御部１４は、所定の時間以上あると判定した場合には、ファイル送信終了の情報に格納されているＢチャネルの識別番号に基づいて、そのＢチャネルを発信専用から着信専用に変更するための着信専用設定要求を交換機２へ送信する（ステップＳ１１７）。また次の処理開始時刻までの時間間隔が所定の時間以上ない場合にはそのまま待機、つまり発信専用のままとしておく。ここで処理開始時刻までの時間間隔が所定の時間以上あるか否かによって着信専用設定要求の送信を判断する上述の処理は、各Ｂチャネルについての発信専用から着信専用への無駄な変更処理の削減に有効である。つまり、次の処理開始時刻までの時間間隔が短時間にもかかわらず、わざわざ発信専用から着信専用に変更することは処理の無駄となるので、その処理を削減して、システム全体の処理負荷を軽減することができる。なお、この着信専用設定要求には発信専用から着信専用に変更するＢチャネルの識別番号を格納している。また、ファイル送信終了となったＢチャネルが複数ある場合には、着信専用設定要求にはそれらファイル送信終了した各Ｂチャネルの識別番号やそのＢチャネルの数が格納されるようにしてもよい。
【００２３】
次に交換機２の着信設定部２３は、着信専用設定要求を受信すると、当該着信専用設定要求に格納されているＢチャネルの識別番号を読み取り、そのＢチャネルの識別番号に対応付けられて発着信設定記憶テーブルに記録されている発信／着信設定を、発信専用から着信専用へ書き換える（ステップＳ１１８）。これにより、ファイル送信装置１が予めファイルを送信しないと分かっている時間帯における当該ファイル送信装置１への着信専用のＢチャネルの数を増加することができる。そして、発信専用から着信専用への設定変更が終了すると、交換機２の発着信設定部２３は、変更終了を示す情報をファイル送信装置１へ送信する（ステップＳ１１９）。
【００２４】
また交換機２の発着信処理部２４の処理は、例えば、ファイル送信装置１宛ての情報を受信した場合には、着信専用となっているＢチャネルがあるか否かを発着信設定記憶テーブルにより判定し、着信専用のＢチャネルがある場合には、そのＢチャネルを用いてファイル送信装置１宛てに情報を転送する処理を行なう。また全ての着信専用のＢチャネルが情報の送信に利用されていたり、着信専用のＢチャネルの識別番号が発着信設定記憶テーブルにない場合には、発着信処理部２４は、着信不可能のメッセージなどをファイル送信装置１宛てに情報を送信した他装置に対して送信する。
【００２５】
以上の処理により、ファイルをファイル記憶部１７に記憶している場合に、そのファイルの数のＢチャネルを、ファイル送信装置１からの発信専用と設定し、それ以外の場合には、ファイル送信装置１への着信専用と設定する。つまりファイルを記憶していない場合にはファイルを送信するタイミングで無いと判定し、Ｂチャネルを発信専用と変更せず、またファイルを送信するタイミングである場合には、ファイル送信装置１からの要求により、発信専用と設定する。これにより、ファイルを送信していない間は、発信専用と設定されるＢチャネルがなくなるので、より多くのファイル送信装置１への着信を拒否することなく処理することができ、着信の効率を上げることができる。またファイルを送信する際にはそのファイルの数だけＢチャネルを発信専用とするので、より多くのファイル送信装置１への着信を拒否することなく処理することができ、着信の効率を上げることができる。
【００２６】
なお上述のファイル送信装置１や交換機は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２８】
【図１】伝送路設定制御システムの構成を示すブロック図である。
【図２】宛先アドレステーブルを示す図である。
【図３】発着信設定記憶テーブルを示す図である。
【図４】ファイル送信装置１の処理フローである。
【符号の説明】
【００２９】
１・・・ファイル送信装置
２・・・交換機
１１・・・通信処理部
１２・・・制御部
１３・・・発着信制御部
１４・・・ファイル送信制御部
１５・・・ファイル送信実行部
１６・・・管理テーブル記憶部
１７・・・ファイル記憶部
２３・・・発着新設定部
２４・・・発着信処理部
【図１】
0004509923.tif 000002
【図２】
0004509923.tif 000003
【図３】
0004509923.tif 000004
【図４】
0004509923.tif 000005